(57)【要約】【課題】  施錠機能を有し、しかも施錠操作が簡単で容易なクレセント錠を提供する。【解決手段】  ハンドル軸４に係止アーム５を垂設し、この係止アーム５の施錠角度位置における先端部を挟む一方の側に固定の衝止部６を、他方の側に施錠スライダ７の先端を夫々配設し、この施錠スライダ７を、その先端が衝止部との間に係止アームの先端を挟む施錠位置、及び係止アームの先端の回動軌跡外の解錠位置との間を移動可能に案内すると共に、下方に付勢し、一方、施錠スライダ７の下端部付近に、これと重合する態様で、かつ揺動可能に制御レバー１１を配設し、この制御レバー１１の一端部付近に外周部に切欠１５を形成したダイアル１４を回動可能に設けると共に、制御レバーをその一端がダイアルの外周に近接する方向に付勢し、他方、制御レバーの他端部と施錠スライダの下端部とを遊動可能に係合させる。【選択図】  図２
2006169859.tif 000002
【特許請求の範囲】
【請求項１】
引戸の一方の框に装着される薄い箱状の台座と、この台座の表面側にハンドルと同軸に回動自在に支承され、外周に形成された円弧状の環堤部を、引き違いとなる相手方の框の係止片に係合させるようにした錠止盤とを有するものにおいて、ハンドル軸の台座内における内端に係止アームを垂設し、この係止アームの施錠角度位置における先端部を挟む一方の側に固定の衝止部を、他方の側に施錠スライダの先端を夫々配設し、この施錠スライダを、その先端が衝止部との間に係止アームの先端を挟む施錠位置、及び係止アームの先端の回動軌跡外の解錠位置との間を移動可能に案内すると共に、施錠位置方向に付勢し、一方、施錠スライダの基端部付近に、これと重合する態様で、かつ揺動可能に制御レバーを配設し、この制御レバーの一端部付近に外周部に切欠を形成したダイアルを回動可能に設けると共に、制御レバーをその一端がダイアルの外周に近接する方向に付勢し、他方、施錠スライダの基端部及び制御レバーの他端部の一方に係合突起を、他方に施錠スライダの案内方向に長い係合孔を夫々形成し、これらを遊動可能に係合させ、また、制御レバーの付勢力を施錠スライダのそれよりも大きくなるように設定し、更に、ハンドル軸に関し係止片に近い錠止盤の部分に、トリガーレバーの中央部を障子に垂直な平面内で回動可能に支承すると共に、このトリガーレバーの一端が係止片に近接する方向に付勢し、一方、このトリガーレバーの錠止盤外に突出した他端に台座の表面側に突出する係止突起を設け、他方、台座の表面において、外力が加わらない常態におけるトリガーレバーの他端の軌跡内に係止突起と係合する係止段部を形成し、ハンドルの錠止方向への回動時、係止片が閉鎖位置にないときにはトリガーレバーの係止突起を台座表面の係止段部に衝止させ、ハンドルを回動させないようにしたことを特徴とするクレセント錠。
【発明の詳細な説明】
【技術分野】
【０００１】
この発明は、クレセント錠に係り、特に、施錠機能を有すると共に施錠操作が簡単で容易であり、しかも障子が完全に閉鎖していないと施錠ができないようにしたクレセント錠に関する。
【背景技術】
【０００２】
クレセント錠は、通常、引戸と別の引戸の召し合せ部分又は引戸と固定部材の召し合せ部分に取り付けられるものであって、引戸又は固定部材に取り付けられ、先端に折返えし係止部を有する係止片と、引戸又は固定部材に取り付けられる台座と、台座に対し水平軸の回りを回動可能に枢支されたハンドルと、ハンドルに装着され、外周に円弧状の環堤部を形成した錠止盤とを有してなる。
【０００３】
そして、本出願人等は、後記特許文献１を以て、クレセント錠にダイアル錠を組み込んで、施錠機能を有すると共に施錠操作が容易で簡単なクレセント錠を提案した。
【特許文献１】特願２００４−３２０６２２
【特許文献２】特開平９−１５８５８４号公報
【特許文献３】特開平９−１５８５８５号公報
【発明の開示】
【発明が解決しようとする課題】
【０００４】
上記特許文献１によって提案されたクレセント錠は、その目的の範囲内においては不都合な点或いは更に改良すべき余地があるものではない。
【０００５】
しかしながら、クレセント錠が装着されている内障子、及びこれと引き違いとなる外障子が閉鎖位置になくても施錠ができ、錠止盤が突出した状態になるため、これを知らずに障子を動かしたとき錠止盤が外障子と激突する、という不都合が残る。
【０００６】
そこで、この発明は、上記特許文献１に記載されたクレセント錠の構成に加え、特許文献２及び３に記載された安全機構、すなわち、障子が完全に閉鎖していないと施錠ができないようにした安全機構を組み込んだクレセント錠を提案し、以てクレセント錠の使い勝手及び安全性を向上させることを目的としている。
【課題を解決するための手段】
【０００７】
上記の目的を達成するため、請求項１に記載の発明は、引戸の一方の框に装着される薄い箱状の台座と、この台座の表面側にハンドルと同軸に回動自在に支承され、外周に形成された円弧状の環堤部を、引き違いとなる相手方の框の係止片に係合させるようにした錠止盤とを有するものにおいて、ハンドル軸の台座内における内端に係止アームを垂設し、この係止アームの施錠角度位置における先端部を挟む一方の側に固定の衝止部を、他方の側に施錠スライダの先端を夫々配設し、この施錠スライダを、その先端が衝止部との間に係止アームの先端を挟む施錠位置、及び係止アームの先端の回動軌跡外の解錠位置との間を移動可能に案内すると共に、施錠位置方向に付勢し、一方、施錠スライダの基端部付近に、これと重合する態様で、かつ揺動可能に制御レバーを配設し、この制御レバーの一端部付近に外周部に切欠を形成したダイアルを回動可能に設けると共に、制御レバーをその一端がダイアルの外周に近接する方向に付勢し、他方、施錠スライダの基端部及び制御レバーの他端部の一方に係合突起を、他方に施錠スライダの案内方向に長い係合孔を夫々形成し、これらを遊動可能に係合させ、また、制御レバーの付勢力を施錠スライダのそれよりも大きくなるように設定し、更に、ハンドル軸に関し係止片に近い錠止盤の部分に、トリガーレバーの中央部を障子に垂直な平面内で回動可能に支承すると共に、このトリガーレバーの一端が係止片に近接する方向に付勢し、一方、このトリガーレバーの錠止盤外に突出した他端に台座の表面側に突出する係止突起を設け、他方、台座の表面において、外力が加わらない常態におけるトリガーレバーの他端の軌跡内に係止突起と係合する係止段部を形成し、ハンドルの錠止方向への回動時、係止片が閉鎖位置にないときにはトリガーレバーの係止突起を台座表面の係止段部に衝止させ、ハンドルを回動させないようにしたことを特徴とする。
【発明の効果】
【０００８】
上記のように構成された請求項１に記載の発明によるクレセント錠は、ダイアルを回してその切欠と制御レバーの一端とを係合させ、或いは係合を解除することにより制御レバーの他端を介して施錠スライダを動かし、その先端を施錠位置と解錠位置に選択的に設定できるので、クレセント錠に錠前を組込むことができる。
【０００９】
また、クレセント錠の円弧状の環堤部と相手方の框の係止片が係合していない状態で、換言すれば掛金装置としてのクレセント錠がロックしていない状態でダイアルの切欠と制御レバーの一端との係合を外し、すなわちダイアルを施錠角度位置に設定し、この状態でハンドルを回してクレセント錠をロックすると、係止アームの先端が施錠位置にある施錠スライダの先端を押動して一旦解錠位置に置き、係止アームの先端が施錠位置に迄移動すると施錠スライダの先端を解放して、その付勢力により施錠スライダの先端を施錠位置に復帰させるので、ハンドルの操作だけで施錠ができる、すなわち所謂自動施錠が可能になる。
【００１０】
更にまた、ダイアルを回すだけで施解錠操作が可能なので、所謂合鍵に相当するものを不要とし、したがって合鍵の保管や取り出し等が不要となり、また施解錠操作も簡単になる。
【００１１】
加えて、内外障子が閉鎖位置にないときにはハンドルを完全に回すことができないので、錠止盤を係止片に係合させないで突出させたときに生じる種々の不都合を防止できる、等種々の効果を奏する。
【発明を実施するための最良の形態】
【００１２】
ダイアルの切欠と制御レバーの一端との係脱により制御レバーを揺動させ、施錠スライダを動かして施解錠し、更に、施錠スライダを制御レバーの他端に対し相対的に遊動できるように係合させたので、所謂自動施錠が可能になり、また、トリガーレバーにより障子が完全に閉鎖されているか如何か検知できるようにしたので、錠止盤を係止片に係合させないで突出させたときに生じる種々の不都合を防止できる。
【実施例１】
【００１３】
以下、この発明の実施例を図面を参照して説明する。
図１において符号１は縦に細長くて薄い台座を示し、この台座１の表面側に錠止盤２と、この錠止盤２に同軸かつ一体的に結合されたハンドル３とが回動可能に支障されている。
【００１４】
上記錠止盤２は、螺旋状の係合端縁を形成した環堤部が一体に形成されており、この環堤部を引き違いとなる相手方の框の係止片に係合させることは他のクレセント錠と同様である。
【００１５】
上記ハンドル３に一体的に結合されたハンドル軸４（図２参照）の台座１内における内端に、係止アーム５が垂設されている。ここで垂設とは、ハンドル軸４の半径方向に延在する係止アームがハンドル軸と一体的に結合されている、という意味である。
【００１６】
図２に示す係止アーム５は時計盤面に換算して１２時の角度位置にあり、この角度位置を施錠角度位置とする。
【００１７】
施錠角度位置にある係止アーム５の先端を挟むようにして、台座１内に固定された衝止部６と、係止アーム５の先端に関して衝止部６の反対側に施錠スライダ７の先端（上端）が夫々配設されている。
【００１８】
上記施錠スライダ７は、台座１の一方の側面に沿って、その先端が衝止部６との間に係止アーム５の先端を挟む施錠位置（図２に示す位置）、及び図２の位置より上昇して図３に示す位置、すなわち、係止アーム５の先端の回動軌跡外の解錠位置、との間を移動可能に案内されている。
【００１９】
また、施錠スライダ７は、圧縮コイルばねとしてのスライダばね８の弾力により、下方、すなわち施錠方向に付勢されている。
【００２０】
なお、図示の実施例では、ハンドルを例えば１８０度回して施解錠するものとし、係止アーム５が時計盤面に換算して６時の角度位置を解錠角度位置としている。
【００２１】
そして、台座１の内側のほぼ中央と係止アーム５の一部との間に弾装された引張りコイルばねとしてのアームばね９が思案ばねとして機能し、ハンドルの回動にクリック感を付与しているが、このアームばね９はこの発明の必須の構成ではない。
【００２２】
一方、施錠スライダ７の基端部（下端部）付近に、これと一部重合する態様で、ほぼ水平な制御レバー１１が配設されており、この制御レバー１１は、そのほぼ中央部をレバー軸１２によって揺動可能に支承されている。
【００２３】
また、この制御レバー１１は、他端部に弾装された圧縮コイルばねとしてのレバーばね１３の弾力により、制御レバー１１の一端（図２及び図３で左端）が後述するダイアル１４の外周に近接する方向に付勢されている。
【００２４】
なお、このレバーばね１３の弾力は、前記スライダばね８の弾力よりも大きくなるように設定するものとする。
【００２５】
他方、上記制御レバー１１の一端部付近に、外周部の１ヵ所に切欠１５（図２参照）を形成したダイアル１４が回動可能に設けられている。
【００２６】
図示の実施例では、ダイアル１４は操作環１４ａと、多角形の断部を有し、選択された角度位置に上記切欠１５を形成した本体板１４ｂとを厚さ方向に重合して結合したもので、外周に例えばローレットを形成した操作環１４ａの一部は、例えば台座１の側面下方に露出しており（図４参照）、外部からダイアル１４を回動させることができるように構成されている。
【００２７】
また、図４に示すように、操作環１４ａの外周面には一定の角度間隔を保って算用数字等の符号が標記されており、暗証番号として選択された符号を台座の側面開口の例えば中央に整合させることにより、上記切欠１５と制御レバーの一端が整合するように両者の角度間隔が設定されている。
【００２８】
ダイアル１４は上記のように構成されているので、操作環１４ａに標記された符号の数の鍵違いが得られ、このようにしてこの発明によるクレセント錠は、ダイアル錠としての錠前を組込んでおり、後述するように施錠機能を具備している。
【００２９】
なお、図示の実施例では、本体板１４ｂの多角形の段部に線接触するクリックばね１６が弾接するように配設されており、このクリックばね１６により、ダイアル１４の回動にクリック感が付与されている。
【００３０】
一方、図２及び図３に示すように、制御レバー１１の他端部に係合突起１７が突設されており、この係合突起１７は、施錠スライダ７の下端部に開口した縦長の係合孔１８に遊動可能に係合している。
【００３１】
前記したように、制御レバー１１の他端部を上方に押上げるレバーばね１３の弾力を、施錠スライダ７を下方に付勢するスライダばね８の弾力より大きくなるように設定したから、施錠スライダ７に外力が作用しない常態においては、係合突起１７は係合孔１８の上方の開口端縁に当接する。
【００３２】
上記のように構成されたこの発明の一実施例によるクレセント錠は、施錠状態においては、図２に示すように、制御レバー１１の一端が本体板１４ｂの切欠１５が形成されていない外周部に乗り上がっており、したがって制御レバー１１の他端部は相対的に下降した位置にある。
【００３３】
そのため、施錠スライダ７は制御レバーの他端部に追従して図２に示す施錠位置、すなわち、前記衝止部６との間に係止アーム５の先端を挟む位置にある。
【００３４】
このときには、図２から明らかなように、ハンドル３（図１参照）を時計方向或いは反時計方向に回しても、これと一体の係止アームの先端が衝止部６或いは施錠スライダ７の先端に衝止されるから、ハンドルを回すことができず、したがってこのクレセント錠を解錠することができない。
【００３５】
クレセント錠を解錠するためダイアルの操作環１４ａを回し、所定の角度位置に形成された切欠と制御レバー１１の一端とを整合させると、レバーばね１３の弾力により制御レバーの一端が切欠１５に落込み、図３に示すように、制御レバーの他端が施錠スライダ７を押上げて、その先端を係止アームの回動軌跡外の上方に変位させる。
【００３６】
したがって、図２に示す施錠角度位置にある係止アーム５の先端は施錠スライダ７の先端部と干渉すること無く図３に示す解錠角度位置に迄回動させることができる。換言すれば、このクレセント錠は解錠状態となる。
【００３７】
一方、施錠スライダ７が図２に示すように施錠状態にあり、係止アーム５が図３に示すように解錠角度位置にあるときハンドルを施錠方向に回すと、係止アーム５の先端が施錠スライダ７の先端に形成された円弧状の逃げ端縁１７ａ（図２参照）に当接してこれを押上げる（図示せず）。
【００３８】
前記した構成により施錠スライダ７は制御レバー１１の他端に対し相対的に上方に遊動できるから、更にハンドルを施錠方向に回すと、係止アーム５の先端は図２に示す施錠角度位置にまで回動でき、図２に示す施錠角度位置に致ると、係止アーム５と上記逃げ端縁１７ａとの係合が外れ、施錠スライダ７はスライダばね８の弾力により図２に示す位置に復帰する。すなわち、自動施錠が行われる。
【００３９】
次に、障子が完全に閉鎖していないと施錠ができないようにした安全機構について説明する。
【００４０】
図５及び図６において符号２は錠止盤を示し、この錠止盤２はハンドル３の上端部に一体的に結合され（図１参照）、ハンドル３を図１で例えば反時計方向に回動させたとき、引き違いとなる相手方の框に装着された係止片１９（図５参照）と係合して障子をロックすることは前記した通りである。
【００４１】
この錠止盤２の表面において、ハンドル軸孔２１に関し係止片１９に近い部分に、換言すればハンドル軸孔の左側に、図７に示すように、トリガーレバー２２が、その中央部を、支軸孔２０と嵌合する図示しない支軸により回動可能に支承されている。
【００４２】
ハンドル軸は障子に平行であるから（図５参照）、トリガーレバー２２は障子に垂直な平面内で回動する。
【００４３】
なお、図示の実施例では、後述する係止片１９との係合を円滑にするため、トリガーレバー２２の一端（図７で上端）は断面く字形に折曲されている。
【００４４】
また、このトリガーレバー２２は、上記図示しない支軸に巻装された捩りコイルばねとしてのトリガーばねの弾力により、図７で反時計方向に、すなわち、そのく字形に折曲された一端が係止片１９に近接する方向に付勢されている。
【００４５】
一方、このトリガーレバーの他端部は錠止盤２の平面部の輪郭線から外方に突出しており、その他端は台座の表面側、換言すれば図７で紙面裏側に折曲され、係止突起２３が形成されている。
【００４６】
そして、この係止突起２３は、上記したトリガーレバーの付勢力により、錠止盤２の平面部に形成された係止縁２４（図８参照）に弾接し、トリガーレバーに外力が作用しない常態角度位置を規定している。
【００４７】
なお、係止突起２３は図７において係止縁２４より更に下方に延伸しており、後述する係止段部に選択的に係合する。
【００４８】
他方、図９及び図１０に示すように、台座表面のハンドル軸近傍は例えば扇形に突出しており、この突出部のハンドル軸回りの所定の角度位置に係止段部２５が形成されている。
【００４９】
この係止段部２５のハンドル中心軸からの半径方向の距離は、図７に示すハンドル軸孔２１の中心と、常態角度位置におけるトリガーレバーの係止突起２３との間隔とほぼ同じに設定されている。
【００５０】
上記のように構成された安全機構は、ハンドルを図１で反時計方向に回動させて錠止盤２を係止片１９（図５参照）に係合させるとき、トリガーレバー２２の一端は、錠止盤２の環堤部に先立って、図５において左方に移動して係止片１９と係合する。
【００５１】
したがって、障子が完全に閉まっておらず、トリガーレバー２２に対する相対位置が図５に示す位置にないときには、ハンドルをロック方向に回したとき、トリガーレバー２２の一端及び錠止盤２の環堤部の先端は係止片１９と当接せず、言わば空振りをする。
【００５２】
そのため、トリガーレバー２２は錠止盤２に対する相対角度位置を図５のように保った侭回動し、例えばハンドルを６０度回動させると、係止突起２３が係止段部２５（図９及び図１０参照）と係合する。
【００５３】
すると、図７から明らかなように、支軸孔２０とハンドル軸孔２１は離間しているから、機構学的に言えばスライダクランク機構ののスライダが係止段部２５に衝止される態様になり、ハンドルをそれ以上回動させることができない。
【００５４】
一方、障子が完全に閉鎖されているときには、図５に示すようにトリガーレバー２２の一端の移動軌跡中に係止片１９の先端が存在する。
【００５５】
したがって、ハンドルを回すと、図８に示すように、トリガーレバー２２の一端が係止片１９の先端に押動されてトリガーレバーは時計方向に回動し、図８に示すように、その他端の係止突起２３が錠止盤２の係止縁２４から離れる。
【００５６】
前記したようにトリガーレバー２２の支軸はハンドル軸に関し外側にあるから、係止突起２３とハンドル軸孔２１の中心との距離はそれまでより大きくなる。
【００５７】
したがって、この状態でハンドルを回すと、係止突起２３は係止段部２５（図９参照）の外側を回って回動するので、ハンドルの回動を邪魔するものはなく、クレセント錠の施錠が支障無く行われる。
【図面の簡単な説明】
【００５８】
【図１】この発明の一実施例によるクレセント錠の一部を破断して示す正面図。
【図２】その背面図で、施錠状態を示す。
【図３】その背面図で、解錠状態を示す。
【図４】この発明の一実施例によるクレセント錠の一部側面図。
【図５】この発明の一実施例によるクレセント錠の平面図。
【図６】この発明の一実施例によるクレセント錠の側面図。
【図７】錠止盤とトリガーレバーとの係合の態様を示す正面図で、トリガーレバーに外力が作用しない常態を示す。
【図８】錠止盤とトリガーレバーとの係合の態様を示す正面図で、障子が閉鎖しているときの作動を示す。
【図９】部品としての台座の正面図。
【図１０】その側面図。
【符号の説明】
【００５９】
１  台座
２  錠止盤
３  ハンドル
４  ハンドル軸
５  係止アーム
６  衝止部
７  施錠スライダ
８  スライダばね
９  アームばね
１１  制御レバー
１２  レバー軸
１３  レバーばね
１４  ダイアル
１５  切欠
１６  クリックばね
１７  係合突起
１８  係合孔
１９  係止片
２０  支軸孔
２２  トリガーレバー
２３  係止突起
２４  係止縁
２５  係止段部
【図１】
2006169859.tif 000003
【図２】
2006169859.tif 000004
【図３】
2006169859.tif 000005
【図４】
2006169859.tif 000006
【図５】
2006169859.tif 000007
【図６】
2006169859.tif 000008
【図７】
2006169859.tif 000009
【図８】
2006169859.tif 000010
【図９】
2006169859.tif 000011
【図１０】
2006169859.tif 000012